(57)【要約】【課題】本発明は、排泄物の良好な液体吸収性及び保持性を維持しながら、排尿をするときに装着した物品をずらす必要がなく、男性器を取り出しやすい吸収性物品の提供を目的とする。また、上記の優れた機能を有し、軽度の失禁症患者、排尿に関してリハビリを要する患者、また重度の要介護者まで広く好適に用いられる吸収性物品の提供を目的とする。【解決手段】外包シートとその内側に部分的に接着固定した吸収体とを有する吸収性物品であって、前記外包シートの前記吸収体を配した領域に該外包シートを破断し開口しうる開口可能部を設け、該開口可能部の周辺においては前記外包シートと前記吸収体とを非接着状態とし、前記開口可能部を破断開口して前記吸収体の非接着部分を浮かして男性器を取り出しうるようにした吸収性物品。【選択図】図１
2008295866.tif 000002
【特許請求の範囲】
【請求項１】
外包シートとその内側に部分的に接着固定した吸収体とを有する吸収性物品であって、前記外包シートの前記吸収体を配した領域に該外包シートを破断し開口しうる開口可能部を設け、該開口可能部の周辺においては前記外包シートと前記吸収体とを非接着状態とし、前記開口可能部を破断開口して前記吸収体の非接着部分を浮かして男性器を取り出しうるようにしたことを特徴とする吸収性物品。
【請求項２】
外包シートが内側シート及び外側シートからなることを特徴とする請求項１記載の吸収性物品。
【請求項３】
前記開口可能部が前記外包シートに設けたミシン目であることを特徴とする請求項１又は２記載の吸収性物品。
【請求項４】
前記吸収体に、該吸収体の非接着部分を浮かせやすくする折り癖をつけたことを特徴とする請求項１〜３のいずれか１項に記載の吸収性物品。
【請求項５】
腹側から背側に亙り前記外包シートに配設した前記吸収体において、その吸収体長手方向の両端部近傍でのみ該吸収体と前記外包シートとを接着固定したことを特徴とする請求項１〜４のいずれか１項に記載の吸収性物品。
【請求項６】
前記吸収体の背側の略全域及び腹側の吸収体端部近傍でのみ前記外包シートに接着固定したことを特徴とする請求項５記載の吸収性物品。
【請求項７】
さらに前記吸収体腹側の正中線の左右いずれかにおいて前記吸収体と外包シートとを接着固定し、その左右の非接着側に前記開口可能部を配置したことを特徴とする請求項６記載の吸収性物品。
【発明の詳細な説明】
【技術分野】
【０００１】
本発明は吸収性物品に関し、さらに詳しくは成人男性用の吸収性物品に関する。
【背景技術】
【０００２】
吸収性物品としてパンツタイプ・テープタイプの使い捨て紙おむつなどがあるが、これらは自力で排泄が困難な幼児や要介護者用の衛生用品として広く利用されている。そして吸収性物品は、排泄物を確実に吸収して保持することを主要な機能とするため、男性用の下着のように性器を出し入れする開口部は通常設けられていない。
【０００３】
一方、軽度の失禁症の補助具として用いるようなときには、着用者の症状や状態によっては自力で排尿を行うことができることもある。そのような男性着用者であっても、おむつを下ろさなければならず性器を取り出して簡便に排尿をすることができない。排尿のたびにいちいちおむつ等を下ろす必要が生じ、常に個室トイレに入らざるをえず、とりわけ男性着用者にとって不便さを感じさせることがある。また、そのような不便さや抵抗感から、排尿障害初期の男性患者や失禁患者などのリハビリを苦痛なものにすることもある。
おむつをずらす代わりに、サイドシール等を開裂して排尿することも考えうるが、結局おむつをずらすのと同様に手間がかかる。また排尿のたびにおむつが再装着できない状態となるため新品に交換しなければならず、不便なだけでなく、極めて不経済なことともなる。吸収性物品本来の機能である液体吸収性・保持性を維持して、しかも上述のような不便さを解消しうるものが望まれている。
【０００４】
これに対し、人体に接する面側に設けられた内面シートと、人体と接する面と反対側に設けられた外面シートと、前記内面シートと前記外面シートとの間に設けられた中間シートとを備え、着用時に着用者の腹側に位置する腹側部と、背側に位置する背側部と、前記腹側部と前記背側部との間の股下部とに区分される紙おむつカバーにおいて、前記腹側部の前記内面シートと前記外面シートとに、装着時に男性器を取り出し可能な大きさの開口部、或いは当該開口部を形成するためのミシン目乃至は領域が設けられ、前記中間シートをずらすことにより、前記内面シート及び前記外面シートの前記開口部が連通して前記腹側部に貫通口が形成可能に構成され、前記中間シートにより前記内面シート及び前記外面シートの前記開口部を覆った際、当該中間シートを前記内面シート或いは前記外面シートに止着・剥離自在な止着部材が設けられているものが開示されている（特許文献参照）。しかしながら、ここで開示されたものは吸収体より上部にミシン目が設けられており、結局排尿のためにおむつをずらす必要がある。
【０００５】
【特許文献１】特開２００５−８０９９６号公報
【発明の開示】
【発明が解決しようとする課題】
【０００６】
本発明は、良好な液体吸収性及び保持性を維持しながら、排尿をするときに装着した物品をずらす必要がなく、男性器を取り出しやすい吸収性物品の提供を目的とする。また、上記の優れた機能を有し、軽度の失禁症患者、排尿に関してリハビリを要する患者、また重度の要介護者まで広く好適に用いられる吸収性物品の提供を目的とする。
【課題を解決するための手段】
【０００７】
本発明は、外包シートとその内側に部分的に接着固定した吸収体とを有する吸収性物品であって、前記外包シートの前記吸収体を配した領域に該外包シートを破断し開口しうる開口可能部を設け、該開口可能部の周辺においては前記外包シートと前記吸収体とを非接着状態とし、前記開口可能部を破断開口して前記吸収体の非接着部分を浮かして男性器を取り出しうるようにした吸収性物品により上記の目的を達成した。
【発明の効果】
【０００８】
本発明の吸収性物品は、良好な液体吸収性及び保持性を維持しながら、着用者が排尿をするときに吸収性物品をずらす必要がなく、男性器を取り出しやすいという優れた作用効果を奏する。また本発明の吸収性物品は上記の優れた機能を維持し、軽度の失禁症患者、排尿に関してリハビリを要する患者、また腰を浮かせた着脱が困難な重度の要介護者にまで好適に用いることができ、とくに男性着用者の排尿における精神的な負担を軽減することができる。
【発明を実施するための最良の形態】
【０００９】
以下、本発明の吸収性物品について、図面を参照しながら詳細に説明する。
図１は、本発明の吸収性物品の好ましい実施形態としてのパンツ型使い捨ておむつを略装着した状態で模式的に示す斜視図である。以下、本実施形態のおむつ１０に基づいて好ましい態様を説明するが、本発明はこれに限定して解釈されるものではない。
本実施形態のおむつ１０においては、ウエスト開口部１１及び左右一対のレッグ開口部１２が設けられている。そしてウエスト開口部１１近傍にはウエストギャザーをなす弾性部材９が複数配設され、ウエストを適度に締め付けてフィットするようにされている。また、レッグ開口部１２の近傍にもレッグギャザーをなす弾性部材８が複数設けられており、大腿部を適度に締め付けて良好なフィット性が実現される。
【００１０】
本実施形態のおむつ１０においては、サイドシール部５が設けられサイド部が接合されているが、この形態の他、サイドシール部５を設けずにテープタイプのおむつとしてもよい。また、本実施形態のおむつ１０は成人用のおむつとして例示しているが、幼児用のおむつであってもよく、その他、ニーズに応じて必要な形態とした吸収性物品とすることができる。ただし、後述するように本発明の吸収性物品は男性器の取り出しを容易にする利点を有するため、男性用吸収性物品あるいは男女共用吸収性物品として用いることが好ましい。
【００１１】
本実施形態のおむつ１０においては、おむつ腹側ｆの外包シート３に開口可能部としてのミシン目１が設けられている。このミシン目１が設けられる位置は物品側に設けられた吸収体６が配置された領域であり、このとき図示したもののように着用者の性器を取り出しやすい腹側、より詳しくは下腹部中央及びその近傍であることが好ましい。このようにすることで、常用時の装着状態は、図１に示したように吸収体６が適切に排泄領域に位置し、良好な液体吸収保持性を実現し、排尿時においては的確に性器を取り出すことができる。
【００１２】
本発明において開口可能部は、図示したようなミシン目１に限らず、開口可能なスリットや穿孔を密集して設けたハニカム状の穿孔列であってもよい。なかでも加工性や開口容易性等を考慮し開口可能部をミシン目１とすることが好ましい。ミシン目１は、図示したものにおいては、その長手方向を身丈方向（Ｙ方向）に向けて設けているが、幅方向（Ｘ方向）に向けて設けてもよく、その他斜め方向であってもよい。また、図示したもののように直線状のミシン目に限らず、十字に交差させたミシン目、「くの字」や「コの字」に折曲のあるミシン目など、機能に応じて適切な形態としたミシン目にすることができる。
【００１３】
開口可能部をミシン目とするとき、１つの線状穿孔部の長さは特に限定されないが、成人用のおむつの寸法を考慮すると、３〜８ｍｍ程度とすることが実際的であり、穿孔部間の間隔（連続部の長さ）は１〜５ｍｍ程度とすることが実際的である。ミシン目１全体の長さについても特に限定されないが、同様に成人用おむつの寸法を考慮して、５０〜２００ｍｍ程度とすることが好ましい。
【００１４】
開口可能部としてのミシン目１は、本実施形態のおむつ１０のように正中線ｐに対し左右のいずれかに幾分ずらして配置することが好ましい（本発明において正中線とは、着用者の身体を左半身と右半身とに分断する正中面を想定し、その正中面と装着状態のおむつとが交わってなす線をいう。）。このように正中線ｐの左右いずれかに幾分ずらすことにより、男性器を取り出すときに、後述する吸収体を浮かせる動作をしやすくなり好ましい。
【００１５】
開口可能部の上部及び／又は下部には口開き防止ギャザーを形成する弾性部材を配設することが好ましく、本実施形態のおむつ１０においてはミシン目１の上部に口開き防止ギャザーをなす弾性部材２を設けている。この弾性部材２は図示したものように物品幅方向（Ｘ方向）に伸縮するように配設することが好ましい。このようにすることで、一度ミシン目１を分断し開口した後にも、開口部の口開き状態が抑制防止され、継続使用するために好ましい。
【００１６】
図２は図１に示した実施形態のおむつのミシン目１を分断し開口するときの状態を模式的に示す拡大斜視図である。ミシン目１の分断開口態様は図２に示した態様に限定されるものではないが、本実施形態のおむつ１０のように身丈方向（Ｙ方向）にその長手方向を向けたミシン目であれば、通常、着用者の左右の手の指２２、２３、具体的にはそれぞれの親指と人差し指とでミシン目１の両側をつかみ、矢印２４の方向に引き離すようにして分断し開口することができる。このようにすることで、介護者等の助力を要さずに着用者自らが容易に開口可能部を分断開口して性器を取り出し排尿する準備をすることができる。このようにして作出した開口部２１からは外包シート３内部の吸収体６が露出する。この吸収体６を外包シート３からみて浮かせるように、すなわち図示し開口部２１から着用者の肌の方に押し込むようにして変形して、男性器を取り出すことができる。
【００１７】
開口可能部の近傍には再接合手段として例えば接着テープや粘着剤を塗布したシール部を設けてもよい。そのようにすることで、例えば、一度ミシン目１を分断して開口した後にも、その接合手段によって再接合し、外包シートが連続した状態に戻すことができる。ただし、再接合する着用者の作業、物品の製産効率やコストを考慮すると、むしろ再接合手段等を設けずに、上述した口開き防止ギャザーをなす弾性部材２により対応することが実際的であり好ましい。
【００１８】
図３は図１に示した実施形態のおむつを展張して展開したときの状態で模式的に示す平面展開図である。既に述べたように、本実施形態のおむつ１０においては、外包シート３の内側に吸収体６が設けられており、ウエスト開口部近傍にはウエストギャザーをなす弾性部材９が複数配設されている（ただし、レッグギャザーをなす弾性部材８及び口開き防止ギャザーをなす弾性部材２（図１参照）は図示していない。）。本実施形態のおむつ１０においては、その外包シート３を腹側ｆより背側ｒにおいてより広めに配分している。このようにすることで、股下線ｃを着用者の股間に配置するように装着したときに、通常より張り出しのある臀部を適切に包み込む形態となり好ましい。
【００１９】
本発明の吸収性物品においては、図３に示したもののように吸収体６を長尺なものとし、着用者の腹側ｆから背側ｒに亙り沿わされるよう前記外包シート３内側に長尺の吸収体６を配設することが好ましい。ここで外包シート３と吸収体６との接着固定態様についてみると、以下の３つに区別して示すことができる。
【００２０】
接着固定の好ましい態様１としては、外包シート３と吸収体６とを、吸収体６の長手方向の両端部近傍でのみ接着固定する態様が挙げられる。図３に示した実施形態でいえば、接着固定部６ａ及び６ｄでのみ接着固定したような固定態様となる。接着固定された以外の吸収体６の広範な中央領域は未固定となり、股下線ｃの周辺を含め、装着することにより外包シート３と着用者の肌で圧挟されて吸収体６が位置固定された状態となる。
【００２１】
接着固定の別の好ましい態様２としては、外包シート３と長尺吸収体６とを、吸収体６の背側ｒの略全域及び腹側ｆの端部近傍でのみ接着固定した態様が挙げられる。図３に示した実施形態でいえば、接着固定部６ａ、６ｂ、６ｄ、及び接着固定部６ｃの背側部のみで接着固定したような固定態様となる。なお、このとき装着固定部６ａ、６ｂ、及び６ｃの背側部を分割せず１つの装着固定部としてもよい。これにより、図３の形態でいうと、ミシン目１を設けた吸収体６の腹側部分で物品幅方向（Ｘ方向）に亙って未接着な状態が実現される。このようにすることで、例えば、図３に示した形態では正中線ｐに対して右側にミシン目１を設けているが、正中線ｐの左側にも同時にミシン目（図示せず）を設けることができる。それにより着用者の好みに応じて、右側ミシン目１を使用するか左側ミシン目（図示せず）を使用するかを決定することができ、選択肢が増える点で好ましい。このように左右両側にミシン目を設けるとき、図示した形態では右側にのみ後述する吸収体の折り癖線６ｆを設けているが、左側にも折り癖線（図示せず）を設けることが好ましい。
【００２２】
接着固定のさらに別の好ましい態様３として、外包シート３と長尺吸収体６とを、上記態様２の接着固定部に加え、さらに吸収体６の腹側ｆの正中線に対して左右いずれかを接着固定する態様が挙げられる。このときミシン目は吸収体の接着固定された部分を避けるように、接着固定部に対して正中線の左右逆方向にずらして配置することが好ましい。図３に示した実施形態でいうと、接着固定部６ａ、６ｂ、６ｃ、及び６ｄを接着固定した態様となる。なお、このとき接着固定部６ａ、６ｂ、６ｃ、及び６ｄを分割せず、１つの連続した接着固定部としてもよい。本接着固定態様では吸収体６の腹側ｆにおいて正中線ｐの左側を接着固定部６ｃにより固定し、ミシン目１はその逆の右側に設けられている。ただし、ミシン目１及び接着固定部６ｃをそれぞれ上記の左右逆に配置してもよい。
【００２３】
吸収体６と外包シート３とを接着固定する方法は通常の方法によればよく、例えばホットメルト接着が挙げられる。
【００２４】
本発明の吸収性物品においては、吸収体に折り癖を設けることが好ましい。本実施態様のおむつ１０においては、直線状のミシン目１の上部を２度横切るように「Ｖ字」に折れ曲がった折り癖線６ｆを設けている。このようにすることで、折り癖線６ｆにそって吸収体６を浮かせやすくなり、的確に男性器を取り出すことができる。
図４は図３のＩＶ−ＩＶ線断面を示す拡大断面図である。同図においては、本実施形態のおむつ１０の折り癖線を設けた箇所が断面図として示されている。本実施形態においては外包シート３が内側シート３ａと外側シート３ｂとの２層のシート材からなるが、外包シート３の枚数や形態は特に限定されず、十分な強度等を得ることを考慮すると上述のような２層シートとすることが好ましい。
【００２５】
図４に示したおむつの断面位置においては、吸収体６と外包シート３（内側シート３ａ）とが正中線ｐの左側領域ｑにおいて接着固定され、それ以外の領域ｒにおいては非接着とされている。そして吸収体のミシン目１の上部近傍に折り癖線６ｆが設けられていることが分かる。吸収体６の折り癖線６ｆの断面形状は特に限定されないが、例えば同図において示したような、吸収体を圧縮した括れ形状が挙げられる。このような圧縮括れ形状は通常の熱圧着加工によって吸収体を圧密化して形成することができる。これにより、吸収体の一部６ｅは変形しやすい状態にされている（以下、このように折り癖により変形しやすくされた部分６ｅを変形自在部という。）。
【００２６】
図５は、本実施形態のおむつにおいてミシン目を分断開口し吸収体を浮かせた態様を物品内側から模式的に示す拡大展開平面図である。そして図６は図５のＶＩ−ＶＩ線断面を示す拡大断面図である。両図に示したとおり、本実施形態のおむつはミシン目１を開口した開口部２１より指５２等を差し込むことができ、吸収体６の変形自在部６ｅを浮かせることができる。
【００２７】
このように本実施形態においては、効果的な位置に任意の折り癖線６ｆを設けたため、吸収体の変形自在部６ｅが的確に浮かされ、物品内部の空間と外部空間とを連続させることができる。また本実施形態においては、Ｖ字形状の折り癖線とし（図５参照）しかも断面括れ形状の圧縮成形した折り癖線としたため（図６参照）、変形自在部６ｅを浮かせやすくかつ戻しやすい。このように吸収体の変形自在部６ｅを変形しやすく、かつ、元の形状に戻しやすくしたため、装着状態においてあまり隙間のない股間と吸収性物品との間隙においても、確実にかつ素早く男性器を取り出し、また収めることができる。さらには、失禁や尿漏れにより多少吸収体６の中央部が濡れて膨潤していても、変形自在部６ｅはほぼ影響をうけず簡便且つ適切に変形するため、男性器を取り出して排尿をすることができる。
【００２８】
本発明の吸収性物品は、その好ましい実施形態に示したように着用者自信が開口部を分断開口して男性器を取出し排尿をすることができる。そのため、軽度の失禁症、あるいはそのリハビリ中の患者等に好適に使用される。さらには自力での排尿を諦めざるを得なかったような腰を浮かせたりする動作の難しい男性患者においても、自分で男性器を取出し排尿することを可能にし、精神的な負担の軽減に資するものである。また、幼児のトレーニングおむつとしても利用することができる。
【００２９】
外包シート３は前述のとおり内側シート３ａと外側シート３ｂとからなる２層構造とすることができ、そのとき両シートの材料は特に限定されず、通常吸収性物品に用いられる材料を用いることができる。例えば、外包シート３を構成する内側シート３ａと外側シート３ｂとからなる２層構造のシートにおいては、いずれも撥水性の不織布で構成することが好ましい。また、さらにその両シート間に液不透過性でありながら、例えばムレ防止の観点から蒸気透過性を付与した透湿性のシートをはさんで３層構造のシートにすることも好ましい。
内側シート３ａ及び外側シート３ｂには、液漏れ防止性を考慮すれば液不透過性のシートを用いることが好ましく、例えば、ポリエチレン等の防水性を有するシート材が挙げられ、ムレ防止の観点からさらに透湿性を有するシート材であることが好ましい。この防水性と透湿性とを具備するシート材としては、例えば、ポリエチレンやポリプロピレン等のオレフィン系樹脂中に無機充填剤を溶融混練してシートを成形した後、一軸または二軸方向に延伸することにより得られる微多孔性シート材が好適に用いられる。
【００３０】
吸収体６は、液体を吸収する働きを有するものであれば特に限定されず、例えば高吸収性ポリマーのような高吸水性樹脂や吸水性繊維、パルプなどから成り、これらの素材でできた単層構造であってもよいし、複数層に分かれた構造でも構わない。
【００３１】
弾性部材２、９、８の材料としては、通常吸収性物品に用いられる弾性材料を用いることができ、例えば、スチレン−ブタジエン、ブタジエン、イソプレン、ネオプレン等の合成ゴム、天然ゴム、ＥＶＡ、伸縮性ポリオレフィン、ポリウレタン等を挙げることができる。弾性部材の断面形状は、矩形、正方形、円形、多角形状等の糸状ないし紐状（平ゴム等）のもの、或いはマルチフィラメントタイプの糸状のもの等を用いることができる。
【図面の簡単な説明】
【００３２】
【図１】本発明の吸収性物品の好ましい実施形態（本実施形態）のパンツ型使い捨ておむつを略装着した状態で模式的に示す斜視図である。
【図２】本実施形態のおむつのミシン目を分断し開口したときの状態を模式的に示す拡大斜視図である。
【図３】本実施形態のおむつを展張して展開したときの状態を内側から模式的に示す平面展開図である。
【図４】図３のＩＶ−ＩＶ線断面を示す拡大断面図である。
【図５】本実施形態のおむつのミシン目を分断開口し吸収体を浮かせる態様を物品内側から模式的に示す拡大平面展開図である。
【図６】図５のＶＩ−ＶＩ線断面を示す拡大断面図である。
【符号の説明】
【００３３】
１  開口可能部（ミシン目）
２  口開き防止ギャザーをなす弾性部材
３  外包シート
３ａ  内側シート
３ｂ  外側シート
５  サイドシール部
６  吸収体
６ａ、６ｂ、６ｃ、６ｄ  接着固定部
６ｅ  変形自在部
６ｆ  折り癖線
８  レッグギャザーをなす弾性部材
９  ウエストギャザーをなす弾性部材
１０  吸収性物品（成人用おむつ）
１１  ウエスト開口部
１２  レッグ開口部
２１  開口部
２２、２３、５２  手の指
２４  開口可能部の分断開口方向
【図１】
2008295866.tif 000003
【図２】
2008295866.tif 000004
【図３】
2008295866.tif 000005
【図４】
2008295866.tif 000006
【図５】
2008295866.tif 000007
【図６】
2008295866.tif 000008